(57)【要約】【課題】ドア面から大きく突出しないレバーハンドルを提供する。【解決手段】ドア１に設けた錠装置３を操作するハンドル軸４に連結される台座６と、該台座の外方に重ねられる取手７を有する。該台座６と取手７は、該取手を台座に沿ってスライドさせたとき、該取手を台座から浮上させるようリンクアーム９で連結されている。取手６が浮上すると、取手の裏面と台座の間に差込空間８が形成され、取手を握って回転することができる。【選択図】図２
2020133347.tif 000002
【特許請求の範囲】
【請求項１】
ドアに設けた錠装置を操作するハンドル軸に連結される台座と、該台座の外方に重ねられる取手を有し、該台座と取手は、該取手を台座に沿ってスライドさせたとき、該取手を台座から浮上させて取手の裏面と台座の間に差込空間を形成するようリンクアームで連結されていることを特徴とするレバーハンドル。
【請求項２】
上記リンクアームは、少なくとも２個設けられている請求項１に記載のレバーハンドル。
【請求項３】
上記台座には該リンクアームを枢着する連結部があり、上記取手が浮上しているときリンクアームの回転を停止させるストップ機構が連結部とリンクアーム間に設けられている請求項１に記載のレバーハンドル。
【請求項４】
上記ストップ機構は、リンクアームの基端に設けた肩部と、リンクアームが起立する位置まで回転したとき該肩部に係合するよう台座に設けた段部である請求項３に記載のレバーハンドル。
【請求項５】
上記リンクアームの先端には係止溝が設けられ、取手の内面には、取手が浮上しているとき及び取手が降下しているとき、該係止溝に係合する係合突起が設けられている請求項３又は４に記載のレバーハンドル。
【請求項６】
上記取手の一側側には、取手が降下しているとき上記リンクアームを収納する受溝が形成され、他側側には握り部が形成されている請求項１に記載のレバーハンドル。
【発明の詳細な説明】
【技術分野】
【０００１】
本発明は、建物のドアやパーティション等の開閉に使用するレバーハンドルに関し、特にドア面からの突出量を少なくしたレバーハンドルに関するものである。
【背景技術】
【０００２】
建物の開口部に設けられるドア等は、小口からラッチが出没するよう錠装置を設け、該錠装置を操作するハンドル軸(角軸)を錠装置の挿通孔を通してドアの表面に突出し、このハンドル軸にレバーハンドルを取り付け、該レバーハンドルを回動してラッチを没入させドアを開放できるように構成されている。
【０００３】
通常のレバーハンドルは、ハンドル軸に取付けられドア面から立ち上がるボス部と、このボス部からドア面に沿ってほぼ水平に延びるレバー部を有し、レバー部とドア面の間には、指先を差し込んでレバー部を握ることができる差込空間が設けられている。そのため、ドア面からレバーハンドルが大きく突出するので、衣服等が引っかかったりして通行の支障になることがある。そのよう場所では、ケースハンドルや平面ハンドルが使用されることも多い(例えば特許文献１、２参照)。
【０００４】
特許文献１に記載のように、ケースハンドルは、ドア表面に固定されるケースを有し、このケース内に起倒可能にハンドルを設け、ドアを開放する際は、ハンドルを起立させて回転するよう構成されている。ケースハンドルの場合には、ハンドルを収納するためのケースが必要であり、かつケース内に収納できるようハンドルが小さく形成されているので、指先でつまんで回転させるのが面倒である。また、ハンドルを折りたたんだ状態でドア面に沿って展開した状態で収納するので、ケースが大きくなり、ハンドルの側面が表面側に現れるので、全体の形状が大きくなり、体裁もよくない。特許文献２に記載のような平面ハンドルもケースが必要であり、不使用時にケース内にハンドルをロックしておき、使用の際ハンドルのロックを解除して一端を跳ね上げる構成である。そのため、通常のレバーハンドルに比べてロック機構等の構成が複雑になり、体裁もよくない。
【先行技術文献】
【特許文献】
【０００５】
【特許文献１】特開２００６−１６９９０７号公報(図１、図３)
【特許文献２】特公平５−４９７９５号公報(図１、図２）
【発明の概要】
【発明が解決しようとする課題】
【０００６】
本発明は、建物のドア等に使用するレバーハンドルにおいて、不使用時はドア面から取手が大きく突出しないようにドア面側に降下しており、使用する際は、スライドさせるだけでドア面から簡単に浮上し、この取手を回転させることにより錠装置のラッチを開放できるレバーハンドルを提供することである。
【課題を解決するための手段】
【０００７】
本発明によれば、ドアに設けた錠装置を操作するハンドル軸に連結される台座と、該台座の外方に重ねられる取手を有し、該台座と取手は、該取手を台座に沿ってスライドさせたとき、該取手を台座から浮上させて取手の裏面と台座の間に差込空間を形成するようリンクアームで連結されていることを特徴とするレバーハンドルが提供され、上記課題が解決される。
【０００８】
本発明によれば、上記リンクアームは、少なくとも２個設けられ、台座には該リンクアームを枢着する連結部があり、上記取手が浮上しているときリンクアームの回転を停止させるストップ機構が連結部とリンクアーム間に設けられている上記レバーハンドルが提供される。
【発明の効果】
【０００９】
本発明のレバーハンドルは上記のように構成され、不使用時は取手が台座に沿って降下しているので、ドア面から大きく突出しないようにでき、通行に支障を与えないようにできる。そして、ドアを開放する際は、取手を台座に沿ってスライドさせれば、リンクアームを介して取手はほぼ水平移動しながら台座から浮上し、ドア面との間に差込空間が形成されるから、この差込空間に指先を差し込んで取手を握り、確実かつ容易には取手を回転させて錠装置のラッチを解錠し、ドアを開放することができる。そして、不使用時は、リンクアームが逆方向に回転するように取手をスライドさせると、取手は台座に沿う位置に降下し、ドア面から大きく突出しないようにできる。この状態では、取手の外面部分が表面に現れるだけであるから、従来のケースハンドル等のような大きな構成部分はなく、体裁もよい。
【００１０】
上記台座にリンクアームを枢着する連結部を設け、上記取手が起立しているときリンクアームの回転を停止させるストップ機構をリンクアームと連結部間に設けると、取手が浮上した状態でそれ以上リンクアームが回転することがなく、取手の浮上状態を確保でき、取手を回転する際に、取手が急に降下してしまうようなおそれがなく、安心して使用することができる。
【図面の簡単な説明】
【００１１】
【図１】本発明の一実施例を示す斜視図。
【図２】断面図。
【図３】分解斜視図。
【図４】側面図。
【発明を実施するための形態】
【００１２】
図１〜図４は、建物のドアに本発明のレバーハンドルを用いた一実施例を示し、ドア１内にはラッチ２が小口から突出するように公知の錠装置３が設けられており、該錠装置３を操作するハンドル軸(角軸)４は、公知のように、錠装置３に設けた挿通孔(図示略)を通してドア面の表面に突出し、このハンドル軸に本発明のレバーハンドル５が取り付けられている。
【００１３】
該レバーハンドル５は、ドア１内に設けた上記錠装置３を操作するハンドル軸４に連結される台座６と、該台座６の外方に重ねられる取手７を有し、該台座６と取手７は、該取手７を台座６に沿ってスライドさせたとき、該取手７が台座６から浮上して取手７の裏面と台座６の間、則ちドア面との間に差込空間８を形成するようリンクアーム９で連結されている  。
【００１４】
図３に示すように、該台座６は、ほぼ矩形状に形成され、ほぼ中央にハンドル軸４を挿入する取付孔１０を形成したボス１１が設けられ、裏面の両側側には、錠装置３の取付座１２を受け入れる凹部１３が形成されている。表面側には上記リンクアーム９を連結する連結部１４が形成されている。該連結部１４は、リンクアーム９の基端を受け入れてピン１５で固定するよう取付孔１６を設けた対向状態に立ち上がる起立壁１７を有する(図４参照)。なお、連結部１４には、上記ハンドル軸１４を固定するためのビス１８をねじ着する止着孔１９が設けられている。
【００１５】
上記取手７は、上記台座６よりも長い略矩形状に形成され、一側側の裏面には、上記リンクアーム９を受け入れる受溝２０が形成され、他端側は受溝よりも側方に長く延びて握り部２８となり、この受溝２０の壁面から突出した隆起部に設けた取付孔２１にピン２２を挿入してリンクアーム９の先端を取手７に枢着している。
【００１６】
上記リンクアーム９は、両端にピンを挿通する孔を有し、基端側には、上記取手７が浮上しているときリンクアーム９の回転を停止させるストップ機構が設けられている。図に示すストップ機構は、リンクアーム９の基端側に肩部２３を設け、リンクアーム９が起立したとき該肩部２３と噛み合うよう連結部に段部２４を設けてある。取手７をスライドして浮上させる位置まで回転したリンクアーム９は、図２に示すように、それ以上取手７をスライドさせようとしても回転しないから、取手を握って回転させる際、途中で降下することはない。またリンクアーム９の先端には、略Ｖ溝状の係止溝２５を２か所に設けてあり、取手７の受溝２０の内面には、係止突起２６を有するばね板で構成した仮止め板２７を設けてある。この構成によりリンクアーム９が起立したとき一方の係止溝２５と係止突起２６が噛み合って取手７等の移動を仮保持し、取手７を逆方向にスライドさせるときには、係止溝２５と係止突起２６の仮保持が外れてリンクアーム９及び取手７の移動を許容し、取手７が台座上に降下したときには、他方の係止溝２５に係止突起２６が噛み合って降下状態を維持する。したがって、ドアを開閉する際に、取手が勝手に移動することはない。上記ストップ機構は、図に示す構成に代えて適宜のクリック機構を設けたり、磁石を用いた機構であってもよい。
【００１７】
上記リンクアーム９は、取手７をスライドさせたとき、台座６に対してほぼ平行移動して取手７を浮上させることができるよう、少なくとも、図に示すように、２個設けてあるが、３個以上並列して設けることもできる。そして、図３、図４に示すように、上記連結部１４の対向する起立壁１７間に沿って延びる取手７の奥行方向の幅Ａが、リンクアーム９の回転方向の幅Ｂよりも広くなるように形成してあり、これにより取手７を回転したときのリンクアーム９の強度を高めてある。
【００１８】
上記実施例では、２個のリンクアーム９を用いてこのリンクアームが台座６に設けたボス１１の両側に位置するように連結部に連結してあるが、ボス１１の一方側にリンクアームを連結することもできる(図示略)。
【００１９】
上記の構成により、取手７が台座６に沿って降下しているとき、リンクアーム９も台座６に沿って、図２の下部に図示するように、取手７の受溝２０内に収納されている。そして、取手７を台座６に沿ってスライドさせると、リンクアーム９は、基端を中心として回転し、取手７を台座６から浮上させ、これによりドア面と取手の間には指先を挿入できる差込空間８が形成される。したがって、この差込空間８に指先を入れて取手７に握り部２８を握って容易に回転させることができ、確実に錠装置のラッチ２を没入させてドアを開放することができる。
【００２０】
不使用時は、取手７を逆方向にスライドさせると、リンクアーム９を介して取手７は降下し、台座６に沿って位置するから、ドア面からの突出量を少なくすることができ、通行に支障を生じないようにすることができる。
【符号の説明】
【００２１】
４    ハンドル軸
５    レバーハンドル
６    台座
７    取手
８    差込空間
９    リンクアーム
２０  受溝
２３  肩部
２４  段部
２５  係止溝
２６  係止突起
【図１】
2020133347.tif 000003
【図２】
2020133347.tif 000004
【図３】
2020133347.tif 000005
【図４】
2020133347.tif 000006